(57)【要約】【課題】上部の熱交換器や制御基板の収納部分に送風用のプロペラファンから十分な送風が供給される暖房装置を提供する。【解決手段】器具本体１の背面１１の開口１０に送風用のプロペラファン１４を、送風の通過を邪魔する取り付け部を有した取り付け金具１３で固定し、前方の熱交換器８に送風し熱交換で得られた温風を前面の吹出口９から放出するもので、前記プロペラファン１４を取り付け金具１３と共に、背面視で開口１０の垂直中心線１２より左側に傾斜して取り付け、上部の熱交換器８と背面視左下の電装部分１５への送風を多くするようにしたことで、上部の熱交換器８では十分な送風で良好な温風暖房が行われるものであり、更に下部の制御基板１６でも十分な送風で常に良好に冷却され、長期に渡って安全に使用出来るものである。【選択図】図１
2013245891.tif 000002
【特許請求の範囲】
【請求項１】
器具本体の背面の開口に送風用のプロペラファンを、送風の通過を邪魔する取り付け部を有した取り付け金具で固定し、前方の熱交換器に送風し熱交換で得られた温風を前面の吹出口から放出するものに於いて、前記プロペラファンを取り付け金具と共に、背面視で開口の垂直中心線より左側に傾斜して取り付け、上部の熱交換器と背面視左下の電装部分への送風を多くするようにした事を特徴とする暖房装置。
【発明の詳細な説明】
【技術分野】
【０００１】
この発明は、器具本体の背面にプロペラファンを備えた暖房装置に関するものである。
【背景技術】
【０００２】
従来よりこの種のものでは、図４に示すように、器具本体１０１の背面１０２に丸形の開口１０３を形成し、この開口１０３の垂直中心線１０４が中心にくるようにして、プロペラファン１０５が固定された取り付け金具１０６を背面１０２に取り付け、器具本体１０１内の燃焼筒１０７や熱交換器１０８に送風して、熱交換し温風暖房を行うようにしたものであった。
【０００３】
又温風を器具本体の正面の中央部から吹き出させるために、送風用のプロペラファンの向きを左右に変更するものがあった。（特許文献１参照）
【先行技術文献】
【特許文献】
【０００４】
【特許文献１】実開平４−１１７３４９号公報
【発明の概要】
【発明が解決しようとする課題】
【０００５】
ところでこの従来のものでは、取り付け金具１０６の上下の取り付け部分が送風の邪魔となり、大きな送風量が必要な熱交換器１０８側に供給される送風部分Ａや、制御基板に供給される送風部分Ｂでは、送風不足となり、良好な温風や十分な冷却空気が得られず、長期の使用に耐えられないと言う不具合を有し、又単にプロペラファンの左右の向きを変更しただけでは、上記の課題を解決することは出来ないものであった。
【課題を解決するための手段】
【０００６】
この発明はこの点に着目し上記課題を解決するため、特にその構成を、器具本体の背面の開口に送風用のプロペラファンを、送風の通過を邪魔する取り付け部を有した取り付け金具で固定し、前方の熱交換器に送風し熱交換で得られた温風を前面の吹出口から放出するものに於いて、前記プロペラファンを取り付け金具と共に、背面視で開口の垂直中心線より左側に傾斜して取り付け、上部の熱交換器と背面視左下の電装部分への送風を多くするようにしたものである。
【発明の効果】
【０００７】
以上のようにこの発明によれば、背面視で開口の垂直中心線の上下位置には取り付け金具がなくなるので、送風量が減少することがなく、上部の熱交換器では十分な送風で良好な温風暖房が行われるものであり、更に下部の制御基板でも十分な送風で常に良好に冷却され、長期に渡って安全に使用出来るものである。
【図面の簡単な説明】
【０００８】
【図１】この発明の一実施形態を示す暖房装置の背面図。
【図２】同熱交換器部分の説明図。
【図３】同制御基板部分の説明図。
【図４】従来例を示す暖房装置の背面図。
【発明を実施するための形態】
【０００９】
次にこの発明一実施形態を付した暖房装置について図面に基づいて説明する。
１は温風と輻射による暖房を行う縦長の器具本体で、中央部には加熱ヒータ２を備えた気化式の燃焼バーナ３の燃焼ガスで、加熱されて赤熱する赤熱筒４が上方から垂下して設けられており、５は前記赤熱筒４を覆い赤熱状態を放射する耐熱性のガラス筒で、背面側に備えた反射板６にこの赤熱状態を反射させて、ガラス板の輻射窓７から放射して輻射暖房を行うものである。
【００１０】
８は前記ガラス筒５の上方に備えられた複数のパイプを並設して構成された熱交換器で、赤熱筒４を加熱後の燃焼ガスが流通し室内空気の送風と熱交換して、前方の吹出口９から温風にして放出して輻射暖房と共に温風暖房も同時に行うものである。
【００１１】
１０は器具本体１の背面１１の上部に形成された円形の開口で、この開口１０の垂直中心線１２より平面視で左側に向かって昇り傾斜した取り付け金具１３にプロペラファン１４が取り付けられており、垂直中心線１２上の上部と下部には取り付け金具１３が位置せず、送風の邪魔にならないようにしたものであり、前記熱交換器８には主にこの垂直中心線１２上の上部からの送風が供給され、十分な送風量で良好な温風が得られるものである。
【００１２】
１５は背面視左下の電装部分で、各種電装品の駆動制御を行う制御基板１６やオイルコン１７や燃焼バーナ３に燃油を供給する電磁ポンプ１８等が収納されており、この電装部分１５には主に垂直中心線１２上の下部で、取り付け金具１３が送風の邪魔をしない部分からの十分な送風が供給され、制御基板１６及びオイルコン１７、電磁ポンプ１８が十分に冷却されて故障や焼損の心配がなくなるものであり、この冷却で少し温度上昇した送風は、器具本体１下部の放出口１９から室内に放出されて温風暖房の補助をするものである。
【００１３】
２０はプロペラファン１４に供給される室内空気中の異物を除去する送風フィルター（図示せず）を装着案内する両側の側面カバー、２１は熱交換器８で熱交換後の排気を給排気筒（図示せず）まで案内する排気管、２２は給排気筒からの屋外の給気を燃焼ファン（図示せず）を介して燃焼バーナ３に燃焼空気として供給する給気管、２３は器具本体１の前面に備えられたガード体、２４は上面に備えられた操作部、２５は運転内容や設定状態を表示する表示部である。
【００１４】
次にこの一実施形態の作動について説明すれば、今燃焼バーナ３で燃焼が開始されることで、発生した燃焼ガスが上昇して直ぐ上の赤熱筒４を加熱し赤熱させることにより、この赤熱筒４の赤熱がガラス筒５を介して反射板６に反射されて、輻射窓７全体を赤く染めて輻射熱を放出して暖房を行うものである。
【００１５】
更に赤熱筒４を加熱後の燃焼ガスは、該赤熱筒４を通過して熱交換器８内に流入するものであり、この時、送風用のプロペラファン１４も駆動しており、このプロペラファン１４を取り付け金具１３と共に、背面視で開口１０の垂直中心線１２より左側に傾斜して取り付けられているので、垂直中心線１２上の上部と下部には取り付け金具１３が位置せず、送風の邪魔にならないようにしたものであり、前記熱交換器８には主にこの垂直中心線１２上の上部からの送風が供給され、十分な送風量で吹出口９と大量な温風が放出されて、良好な温風暖房も行われるものであり、しかもこの温風は、ガラス筒５の外周を通る送風による温風をプラスされるものである。
【００１６】
又プロペラファン１４のもう一方の垂直中心線１２上の下部で、取り付け金具１３が送風の邪魔をしない部分からの十分な送風は、制御基板１６やオイルコン１７や燃焼バーナ３に燃油を供給する電磁ポンプ１８等が収納された電装部分１５に供給され、制御基板１６及びオイルコン１７、電磁ポンプ１８が十分に冷却されて故障や焼損の心配がなくなるものであり、この冷却で少し温度上昇した送風は、器具本体１下部の放出口１９から室内に放出されて温風暖房の補助をするものである。
【００１７】
このように、プロペラファン１４を取り付け金具１３と共に、背面視で開口１０の垂直中心線１２より左側に傾斜して取り付けることで、十分な送風が必要な場所に簡単に十分な送風を供給することが出来、長期に渡って安全に使用出来るものである。
【符号の説明】
【００１８】
１  器具本体
８  熱交換器
９  吹出口
１０  開口
１１  背面
１２  垂直中心線
１３  取り付け金具
１４  プロペラファン
１５  電装部分
１６  制御基板
【図１】
2013245891.tif 000003
【図２】
2013245891.tif 000004
【図３】
2013245891.tif 000005
【図４】
2013245891.tif 000006